(57)【要約】【課題】  フィルタを手動装着あるいは昇降装置による自動装着を行う場合でも、フィルタを共通化する。【解決手段】  天井埋込型の空気調和機において、天井内部に収納されるユニット本体２と、中央に吸込口３を有して天井穴５を塞ぐように天井面６に設けられる化粧パネル７と、この化粧パネルの吸込口３に隙間を有するように配置されるセンターパネル８と、吸込口５に配置されるフィルタを備え、このセンターパネルは化粧パネルに対して手動装着もしくは昇降装置による自動装着のいずれにも対応可能であり、前記フィルタに関して、前記化粧パネルの手動装着時は、このフィルタも前記化粧パネルの吸込口に手動で装着されるものであって、前記化粧パネルの自動装着時は、下降状態の前記センターパネルに装着され、この化粧パネルの上昇にてこのフィルタは前記化粧パネルの吸込口に自動で装着される。【選択図】      図３
2011089768.tif 000002
【特許請求の範囲】
【請求項１】
天井埋込型の空気調和機において、
天井内部に収納されるユニット本体と、中央に吸込口を有して天井穴を塞ぐように天井面に設けられる化粧パネルと、この化粧パネルの吸込口に隙間を有するように配置されるセンターパネルと、前記吸込口に配置されるフィルタを備え、
このセンターパネルは化粧パネルに対して手動装着もしくは昇降装置による自動装着のいずれにも対応可能であり、前記フィルタに関して、
前記化粧パネルの手動装着時は、このフィルタも前記化粧パネルの吸込口に手動で装着されるものであって、
前記化粧パネルの自動装着時は、下降状態の前記センターパネルに装着され、この化粧パネルの上昇にてこのフィルタは前記化粧パネルの吸込口に自動で装着されることを特徴とした天井埋込型の空気調和機。
【請求項２】
請求項１記載の天井埋込型の空気調和機において、前記フィルタには、前記手動装着時にはユーザが当該フィルタを把持するための把持部として機能し、前記自動装着時には当該フィルタを前記吸込口に案内するためのガイドとして機能するガイドハンドル部を設けたことを特徴とする天井埋込型の空気調和機。
【請求項３】
請求項２記載のガイドハンドル部が前記手動装着時は下向きに前記自動装着時は上向きとなるように前記フィルタを表裏反転させて前記化粧パネルもしくはセンターパネルに配置させることを特徴とする天井埋込型の空気調和機。
【発明の詳細な説明】
【技術分野】
【０００１】
本発明は、天井に設置されるユニット本体を有する天井埋込型の空気調和機に係り、特に、フィルタを空気調和機に装着するに際し、手動装着および昇降装置による自動装着のいずれにも対応可能なフィルタを備えた空気調和機に関する。
【背景技術】
【０００２】
従来、空気調和機においては、空調対象空間の空気清浄度を保つために、給気中の塵埃等を除去するフィルタが吸込口と、空気調和機本体と、の間に手動装着するものが知られている。
【０００３】
また、フィルタを昇降可能なグリルあるいはパネルに装着し、空気調和機本体に対して、昇降装置により昇降させて、メンテナンス性を向上させるとともに、メンテナンス終了後は、昇降装置よりフィルタを所定位置に自動的に装着する空気調和機も知られている（例えば、特許文献１参照）
【特許文献１】特開平１０−１９６９９８号公報
【発明の開示】
【発明が解決しようとする課題】
【０００４】
従来の空気調和機においては、手動装着されるフィルタと、昇降装置によりを装着されるフィルタとは、共用化が図られておらず、対応する空気調和機に合わせてその装着部の構成が定められていた。
【０００５】
従って、空気調和機の製造に際しては、フィルタ種類が増加し、在庫管理が煩雑になるとともに、製造コストも高くなってしまうという問題点があった。
【０００６】
そこで、本発明の目的は、フィルタを手動装着あるいは昇降装置による自動装着を行う場合でも、フィルタを共通化することが可能なフィルタおよび空気調和機を提供することにある。
【課題を解決するための手段】
【０００７】
上記課題を解決するため、天井埋込型の空気調和機において、天井内部に収納されるユニット本体と、中央に吸込口を有して天井穴を塞ぐように天井面に設けられる化粧パネルと、この化粧パネルの吸込口に隙間を有するように配置されるセンターパネルと、前記吸込口に配置されるフィルタを備え、このセンターパネルは化粧パネルに対して手動装着もしくは昇降装置による自動装着のいずれにも対応可能であり、前記フィルタに関して、前記化粧パネルの手動装着時は、このフィルタも前記化粧パネルの吸込口に手動で装着されるものであって、前記化粧パネルの自動装着時は、下降状態の前記センターパネルに装着され、この化粧パネルの上昇にてこのフィルタは前記化粧パネルの吸込口に自動で装着されることを特徴としている。
【０００８】
上記構成によれば、一つのフィルタでセンターパネルの手動装着もしくは自動装着のいずれにも対応可能である。
【０００９】
又、空気調和機に装着するに際し、フィルタには、手動装着時にはユーザがこのフィルタを把持するための把持部として機能し、自動装着時にはこのフィルタを吸込口に案内するためのガイドとして機能するガイドハンドル部を備えたことを特徴としている。更にこのガイドハンドル部が手動装着時は下向きに自動装着時は上向きとなるようにフィルタを表裏反転させて化粧パネルもしくはセンターパネルに配置させる。上記構成によれば、フィルタの手動装着もしくは自動装着がスムーズに行なえる。
【発明の効果】
【００１０】
本発明によれば、フィルタを手動装着あるいは昇降装置による自動装着を行う場合でも、フィルタを共通化することが可能となり、フィルタ種類を削減でき、在庫管理の容易化およびフィルタの製造コストの低減が図れる。しかもいずれの装着においてもこのフィルタの装着をスムーズに行なうことができる。
【図面の簡単な説明】
【００１１】
【図１】天井埋込型空気調和機のセンターパネル下降時の斜視図である。
【図２】センターパネルおよびフィルタの説明図である。
【図３】センターパネルを下降させた場合の外観斜視図である。
【図４】センターパネルの収容状態におけるフィルタユニットのガイドハンドル部近傍の断面図である。
【図５】センターパネルおよびフィルタの説明図である。
【図６】化粧パネルとフィルタユニットの外観斜視図である。
【図７】センターパネルを取り外した状態におけるフィルタユニットのガイドハンドル部近傍の断面図である。
【発明を実施するための形態】
【００１２】
次に図面を参照して本発明の好適な実施の形態について詳細に説明する。
【００１３】
図１は、天井埋込型空気調和機のセンターパネル下降時の斜視図である。
【００１４】
図１において、天井埋込型空気調和機１は、天井内部に収納される板金製のユニット本体２と、中央に吸込口３を外周部の二辺に吹出口４を有し、天井穴５を塞ぐように天井面６に設けられる化粧パネル７と、センターパネル８と、を備えている。
【００１５】
天井埋込型空気調和機１は、さらに送風機１１を備え、この送風機１１は、シロッコファン１２Ａ、１２Ｂと、天板取り付けられ、シロッコファン１２Ａ、１２Ｂを駆動するファン用モータ１３を備えている。
【００１６】
吹出口４には、風向を変更すべく回動自在に取り付けられたフラップ（風向変更板）１４が回動可能に設けられている。
【００１７】
図２は、センターパネルおよびフィルタの説明図である。図２（ａ）は、センターパネルの収容状態（上昇完了状態）の外観斜視図である。また、図２（ｂ）は、センターパネルの下降状態の説明図である。
【００１８】
センターパネル８は、４本の吊紐３１〜３４を介して化粧パネル７に支持され、吊紐を繰り出し、あるいは、巻き戻すことにより、所定の範囲で昇降し、吸込グリル８を下げた位置で、このセンターパネル８に載置されたフィルタを取り外し可能に構成されている。さらにセンターパネル８が化粧パネル７に取り付けられた状態では、センターパネル８の周縁部に吸込口３を構成する隙間が形成される。
【００１９】
４本の吊紐３１〜３４を繰り出し、或いは巻き戻す昇降機構は、単一の筐体４１内に収納されている。
【００２０】
まずフィルタユニットの構造について説明する。
【００２１】
図３は、センターパネルを下降させた場合の外観斜視図である。なお、図３において、フィルタ本体は図示を省略している。
【００２２】
フィルタユニット４０は、大別すると、フィルタ本体４１（図２参照）と、フィルタ本体４１を支持するフレーム部４２と、を備えている。
【００２３】
フレーム部４２は、外枠部４３およびこの外枠部４３に囲まれ、フィルタ本体４１を支持する格子部４３を有し、外枠部の周囲の４カ所には、ガイドハンドル部４５が設けられている。
【００２４】
図４は、センターパネルの収容状態におけるフィルタユニットのガイドハンドル部近傍の断面図である。
【００２５】
ガイドハンドル部４５は、フィルタユニット４０を空気調和機装着するに際し、手動装着時にはユーザが当該フィルタを把持するための把持部として機能し、昇降装置による自動装着時には当該フィルタを所定の取付位置に案内するためのガイドとして機能するガイドハンドル片５１と、フィルタユニット４０の取付位置を規制するためのストッパ部材５２と、フィルタユニットの手動装着時に化粧パネル７と係合する係合部材５３と、ガイドハンドル部４５の無用な変形を防ぐための補強部材５４と、を備えている。
【００２６】
この場合において、ガイドハンドル片５１は、格子部４３を含む仮想平面Ｐから所定方向（図４では、上方向）に突設されている。
【００２７】
上述した昇降機構を有する空気調和機において、フィルタユニット４０を取り付ける場合について説明する。
【００２８】
昇降機構を動作させることにより、昇降機構からセンターパネル８に取り付けられた昇降用の吊り紐３１〜３４が繰り出される。この結果、センターパネル８は徐々に降下して、図２（ｂ）に示す状態となる。この状態において、図３および図４に示すように、センターパネル８の上面側には、ガイドハンドル部５１が上方を向いた状態でフィルタユニット４０が載置されている。
【００２９】
そしてユーザがガイドハンドル部４５のガイドハンドル片５１を、矢印Ａ方向に撓ませることにより、係合部材５３と、センターパネル８の図示しない係合突起との係合を外す。これにより、フィルタユニット４０は、容易にセンターパネル８から取り外すことが可能となる。
【００３０】
逆にセンターパネル８にフィルタユニット４０を取り付ける場合には、ユーザがガイドハンドル片５１をつまんで水平状態のフィルタユニット４０を、センターパネル８側に押し込むようにする。
【００３１】
この結果、フィルタユニットの係合部材５３は、センターパネル８の図示しない係合突起と係合し、取り付けられることとなる。
【００３２】
この状態で、昇降機構を動作させ、吊り紐３１〜３４を取り込ませると、センターパネル８は徐々に上昇する。
【００３３】
さらにセンターパネル８を上昇させると、フィルタユニット４０のガイドハンドル片５１が化粧パネル７のフィルタ取付開口７Ａの側辺に摺動しつつ当接する。そしてフィルタユニットの４カ所のガイドハンドル片５１が化粧パネル７のフィルタ取付開口７Ａの側辺に当接した状態となると、フィルタユニット４０は、センターパネル８の昇降方向に垂直は方向への動きが規制される。この結果、フィルタユニット４０、ひいては、センターパネル８が所定の位置にガイドされつつ上昇する。
【００３４】
そしてフィルタユニット４０が、所定位置まで上昇すると、本実施形態の空気調和機のフィルタユニットは、ガイドハンドル部４５を有しているので、フィルタユニット４０、ひいては、センターパネル８を正規の位置に案内して取り付けることが可能となる。
【００３５】
そして、ストッパ部材５２が、化粧パネル７の係止片７Ａに当接した状態で昇降機構は停止することとなる。
【００３６】
以上の説明は、フィルタユニットを昇降機構により自動的に空調機本体に取り付ける場合であったが、続いてフィルタユニット４０を手動で空調機本体に取り付ける場合について説明する。
【００３７】
図５は、センターパネルおよびフィルタの説明図である。図５（ａ）は、センターパネルの閉鎖状態の外観斜視図である。また、図５（ｂ）は、センターパネルの開放状態の説明図である。
【００３８】
図６は、化粧パネルとフィルタユニットの外観斜視図である。なお、図６において、フィルタ本体は図示を省略している。
【００３９】
図７は、センターパネルを取り外した状態におけるフィルタユニットのガイドハンドル部近傍の断面図である。
【００４０】
化粧パネル７に取り付けられたセンターパネル８は、図示しない係止片を外すことにより、図に示すように片側支持状態で回動され、フィルタ取付部が露出することとなる。
【００４１】
この状態でユーザはガイドハンドル部４５のガイドハンドル片５１をつまんで、矢印Ｂ方向に撓ませることにより、空調機本体（あるいは、化粧パネル７）に係合していた係合部材５３の係合が外れ、フィルタユニット４０の取り外しが可能な状態となる。
【００４２】
逆にフィルタユニット４０を取り付ける場合には、ガイドハンドル部４５のガイドハンドル片５１をつまんで、所定位置にフィルタユニット４０を押し込むことにより、フィルタユニット４０の係合部材５３が空調機本体（あるいは、化粧パネル７）に係合し、取付が完了することとなる。
【００４３】
このとき、ストッパ部材５２は、化粧パネル７の係止片７Ａに当接した状態となっている。
【００４４】
以上の説明のように、本実施形態によれば、手動装着用とセンターパネル８用とでフィルタユニットを共通化できるので、製品管理が容易となるとともに、製品コストの低減を図ることができる。また、いずれで使うかは、フィルタユニットを裏返すだけで選択可能であり、取扱いが容易となる。
【００４５】
さらに、昇降機構を有する空気調和機においては、フィルタユニット４０をセンターパネル８に装着し、昇降機構で上昇させた場合にフィルタユニット４０、ひいては、センターパネル８を正規の位置に案内して取り付けることが可能となる。
【００４６】
また、フィルタユニットの手動装着時にはユーザが容易に装着可能となっている。
【００４７】
以上の説明は、センターパネルを有する空気調和機についてのものであったが、吸込グリルを昇降させる昇降グリル付の空気調和機についても適用が可能である。
【符号の説明】
【００４８】
１  天井埋込型空気調和機
２  ユニット本体
３  吸込口
５  天井穴
６  天井面６
７  化粧パネル
８  センターパネル
１４  フラップ
１４Ｃ  第１規制部材
３１〜３４  吊紐
４０  フィルタユニット
４５  ガイドハンドル部
５１  ガイドハンドル片
５２  ストッパ部材
５３  係合部材
５４  補強部材
【図１】
2011089768.tif 000003
【図２】
2011089768.tif 000004
【図３】
2011089768.tif 000005
【図４】
2011089768.tif 000006
【図５】
2011089768.tif 000007
【図６】
2011089768.tif 000008
【図７】
2011089768.tif 000009